(57)【要約】  本発明は、電子的なコンポーネント（１２）のための組付けプレート（１０）であって、特にプレートボディ（１４）内に組み込まれた、冷却媒体を貫流させるための冷却導管（１６，１８）が設けられており、この場合にプレートボディ（１４）に、電子的なコンポーネントを組み付けるための固定装置が配置されている形式のものに関する。構成は次のようになっている。すなわち、固定装置が、少なくとも１つの保持部材（２５，２６）と、アンダカットされて形成された、組付けプレート（１０）の延在方向（Ａ）に直線状に延びる第１の溝（２０）又はリブを有しており、この溝（２０）又はリブ内へ、コンポーネント（１２）を固定するための、固定ねじ山を有する保持部材（２５，２６）が挿入可能になっている。
2007525849.tif 000002
【特許請求の範囲】
【請求項１】
電子的なコンポーネント（１２）のための組付けプレート（１０）であって、特にプレートボディ（１４）内に組み込まれた、冷却媒体を貫流させるための冷却導管（１６，１８）が設けられており、プレートボディ（１４）に、電子的なコンポーネントを組み付けるための固定装置が配置されている形式のものにおいて、
該固定装置が、固定ねじ山（２５．３，２６．５）を有する少なくとも１つの保持部材（２５，２６）と、アンダカットされて形成された、組付けプレート（１０）の延在方向（Ａ）に直線状に延びる第１の溝（２０）又はリブとを有しており、該溝（２０）又はリブ内へ、コンポーネント（１２）を固定するための少なくとも１つの前記保持部材（２５，２６）が挿入可能であることを特徴とする、電子的なコンポーネント（１２）のための組付けプレート（１０）。
【請求項２】
固定装置が、第１の溝（２０）又はリブと同様に形成された、該第１の溝（２０）又はリブに対して平行に延びる第２の溝（２２）又はリブを有しており、第１の溝（２０）又はリブと第２の溝（２２）又はリブとの間隔（Ｂ）が、基本的に第１及び第２の溝（２０，２２）又はリブに対して垂直に延びる、組み付けたい電子的なコンポーネント（１２）の延在長さ（Ｂ）により規定されている、請求項１記載の組付けプレート。
【請求項３】
固定装置が、第１の溝（２０）又はリブ及び第２の溝（２２）又はリブと同様に形成された、該第２の溝（２２）又はリブに対して平行に延びる少なくとももう１つの別の溝（２４）又はリブを有しており、該溝（２４）又はリブが、第２の溝又はリブの、組み付けたい電子的なコンポーネントに向いていない方の側（２６）に、前記第２の溝（２２）又はリブに対して間隔（Ｃ）をおいて延びており、該間隔（Ｃ）が、第１の溝（２０）又はリブと第２の溝（２２）又はリブとの間隔よりも小さい、請求項２記載の組付けプレート。
【請求項４】
組み付けたい電子的なコンポーネント（１２）が、ねじ込み孔を有しており、ねじ（２８，３４）により、溝（２０，２２，２４）又はリブ内へ挿入された保持部材（２５，２６）に直接に固定可能になっているか、又は条片状の保持エレメント（２７，２８）により固定可能になっており、該保持エレメント（２７，２８）が、保持部材（２５，２６）に間接又は直接に取り付けられている、請求項１から３までのいずれか１項記載の組付けプレート。
【請求項５】
固定装置が、少なくとも１つの山形部付き薄板（３０）を有しており、
互いの間隔が第１の溝（２０）と第２の溝（２２）との間隔（Ｂ）よりも小さいか、又は第１の溝（２０）とさらに別の溝（２４）との間隔よりも小さい孔を有する、組み付けたい電子的なコンポーネント（１２）が、少なくとも一方側で山形部付き薄板（３０）により、該山形部付き薄板（３０）内へ係合する少なくとも１つのねじ（３２）を用いて、対応した溝（２２）内へ挿入された保持部材でクランプするように固定可能である、請求項１から４までのいずれか１項記載の組付けプレート。
【請求項６】
山形部付き薄板（３０）が、組付けプレート（１０）に接触するための平面的なベースプレート（３４）と、該ベースプレート（３４）に対して折り曲げられた、組み付けたい電子的なコンポーネント（１２）をクランプするように固定するためのクランプ領域（３６）とを有している、請求項５記載の組付けプレート。
【請求項７】
山形部付き薄板（３０）が、第２の溝（２２）又はさらに別の溝（２４）の延在方向（Ａ）に対して垂直方向（Ｄ）に延びる、ねじ（３２）を収容するための長孔（３８）を有している、請求項６記載の組付けプレート。
【請求項８】
保持部材が、ばね板ナットである、請求項１から７までのいずれか１項記載の組付けプレート。
【請求項９】
第１の溝（２０）、第２の溝（２２）及び／又はさらに別の溝（２４）が、プレートボディと一体的に形成されている、請求項１から８までのいずれか１項記載の組付けプレート。
【請求項１０】
少なくとも１つの保持部材が、溝インサート（２６）の形で形成されており、該溝インサート（２６）が、いずれか１つの溝（２０，２２，２４）内へ押込み可能な足部区分（２６．１）と、該溝（２０，２２，２４）から突出した頭部区分（２６．２）とを有しており、
該頭部区分（２６．２）が、溝インサート（２６）が挿入された状態で組付けプレート（１０）の組付け平面から離隔された固定区分（２６．４）を有しており、該固定区分（２６．４）が、固定区分（２６．４）の下方に配置された、固定したいコンポーネント（１２）の配置したい足部（１２．１）の上部に位置決め可能になっており、固定区分（２６．４）の間隔が、組付け平面に対して垂直方向の足部（１２．１）の厚さよりも大きくなっており、固定区分（２６．４）内に少なくとも１つのねじ山付き孔（２６．５）が提供されており、該ねじ山付き孔（２６．５）内へ、コンポーネント（１２）を固定するために、足部（１２．１）と協働する締付けねじ（３４）がねじ込み可能になっている、請求項１から９までのいずれか１項記載の組付けプレート。
【請求項１１】
少なくとも１つの保持部材が、いずれか１つの溝（２０，２２，２４）内へ押込み可能な足部区分（２５．１）と、該溝（２０，２２，２４）から突出した頭部区分（２５．２）とを有する溝ブロック（２５）の形で形成されており、頭部区分（２５．２）内に、組付け平面に対して垂直方向にねじ山付き孔（２５．３）が配置されており、該ねじ山付き孔（２５．３）に、コンポーネント（１２）のための保持手段がねじ込み可能である、請求項１から１０までのいずれか１項記載の組付けプレート。
【請求項１２】
固定装置が、少なくとも１つの保持条片（２７）を有しており、該保持条片（２７）が、溝（２０，２２，２４）に対して横方向に配置可能であり、次のように寸法取りされている、すなわち、保持条片（２７）が、２つの溝（２０，２２；２０，２４）の間の間隔に張りわたされており、両側の端部区分により、当該溝（２０，２２，２４）内へ押し込まれた溝ブロック（２５）及び／又は溝インサート（２６）に設けられたねじ山付き孔（２５．３，２６．３）内に固定可能になっている、請求項１０又は１１記載の組付けプレート。
【請求項１３】
少なくとも１つの条片状のブリッジ（２８）が設けられており、該条片状のブリッジ（２８）が、コンポーネント（１２）の両側に互いに平行に配置された２つの保持条片（２７）の間で摺動可能に、組付け平面に対して間隔をおいて取付け可能であり、前記ブリッジ（２８）が、孔（２８．１）を有しており、該孔（２８．１）を介して、コンポーネント（１２）が、足部（１２．１）で、少なくとも１つの締付けねじにより固定可能である、請求項１２記載の組付けプレート。
【請求項１４】
ブリッジ（２８）が、両方の端部区分で保持条片（２７）の方へ開かれたスリット（２８．２）を有しており、該スリット（２８．２）により、ブリッジ（２８）が、保持条片（２７）に沿って摺動可能に保持されている、請求項１３記載の組付けプレート。
【請求項１５】
少なくとも１つの保持条片（２７）及び／又はブリッジ（２８）に、１列のねじ山付き孔（２７．１，２８．１）又は固定開口部が設けられている、請求項１０から１４までのいずれか１項記載の組付けプレート。
【請求項１６】
保持条片（２７）及び／又はブリッジ（２８）が、横断面図で見て山形に形成されており、少なくとも１つの補強リブが設けられている、請求項１０から１５までのいずいれか１項記載の組付けプレート。
【発明の詳細な説明】
【技術分野】
【０００１】
本発明は、電子的なコンポーネントのための組付けプレートであって、特にプレートボディ内に組み込まれた、冷却媒体を貫流させるための冷却導管が設けられており、この場合にプレートボディに、電子的なコンポーネントを組み付けるための固定装置が配置されている形式のものに関する。
【０００２】
従来技術（刊行物に依拠しない）により、アルミニウムより成る組付けプレート若しくは組付けボード内に冷却蛇管を挿入し、これにより、組付けプレートに組み付けたい電子的な機器、例えば周波数変換器を冷却することが公知である。いわば「冷たいプレート」により、電子的なコンポーネントの損失熱を導出することができる。
【０００３】
電子的なコンポーネントをこのような公知の組付けプレートにねじ結合により保持することができる。このためには、電子的なコンポーネントのケーシングにはねじ込み孔が設けられており、これらのねじ込み孔を介して、ねじを組付けプレート内に設けることのできるねじ山付き孔内へねじ込むことができる。しかしながら、公知の組付けプレートは、冷却蛇管のために、損傷の危険性なしに穿孔することができない。さらに電子的なコンポーネントはしばしば種々異なった寸法を有しており、これにより、種々異なった固定寸法も規定されている。それ故、あらかじめ作製されたねじ山付き孔パターンを有する組付けプレートを設けることは何重もの意味で不可能である。なぜならば、電子的なコンポーネントのハウジングに設けられたねじ山付き孔は前記ねじ山付き孔とは揃わないからである。
【０００４】
PADA Engineering社の公知の組付けプレートでは、冷却蛇管がプレート表面で見ることができるように敷設されており、これにより、組付けプレートを後から機械的に加工する場合に冷却媒体導管を誤って損傷することが広範囲に阻止される。
【０００５】
しかしながら、公知の組付けプレートでは、組み付けたい電子的なコンポーネントの固定寸法に応じて特別に配置されたねじ山付き孔を設けることが不可欠である。このことは作製技術的に手間がかかる。
【０００６】
冷却蛇管の位置に基づき規定された、組付けプレートの組付け領域により、組み付けたい複数の電子的なコンポーネントの充填密度も減じられる。なぜならば、冷却媒体導管の案内に基づき、全ての位置がねじ山付き孔を設けるために適宜というわけではないからである。
【０００７】
本発明の課題は、電子的なコンポーネントのための組付けプレートにおいて、組付け手間が減じられており、保持が確実な場合に、プレート面を穿孔することなしに、プレート面に、組み付けたい電子的なコンポーネントのための可変の配置可能性を付与するものを提供することである。
【０００８】
この課題は、請求項１の特徴部により解決される。有利な改良形がそれぞれ従属請求項に記載されている。
【０００９】
これに応じて、固定装置は、固定ねじ山を有する少なくとも１つの保持部材と、アンダカットされて形成された、組付けプレートの延在方向に直線状に延びる少なくとも１つの第１の溝又はリブとを有しており、この第１の溝又はリブ内へは、コンポーネントを固定するための少なくとも１つの保持部材を挿入することができる。この装置により、ねじ山付き孔を付加的に設けることが回避される。組付けは簡単に行うことができ、この場合に溝内に保持部材が任意に位置決めされることに基づき、構成部材の構造的な規定に適合させることが可能である。
【００１０】
別の基本思想によれば、固定装置は、第１の溝又はリブと同様に形成された、この第１の溝又はリブに対して平行に延びる第２の溝又はリブを有しており、基本的にはこの第１の溝又はリブと第２の溝又はリブとの間隔は、第１及び第２の溝又はリブに対して垂直に延びる、組み付けたい電子的なコンポーネントの延在長さにより規定される。これにより、組み付けたい電子的なコンポーネントの固定寸法が規定されている場合に組付けプレートへの簡単な固定が確保される。
【００１１】
有利な改良形によれば、固定装置は、第１の溝又はリブ及び第２の溝又はリブと同様に形成された、第２の溝又はリブに対して平行に延びる別の溝又はリブを有していてよい。この別の溝又はリブは、第２の溝又はリブの、組み付けたい電子的なコンポーネントに向いていない方の側にこの第２の溝又はリブに対して間隔をおいて延びている。この間隔は、第１の溝又はリブと第２の溝又はリブとの間の間隔よりも小さい。この配置により、組み付けたい電子的なコンポーネントの、付加的に使用される別の固定寸法を考慮することができる。
【００１２】
ねじにより固定するための孔を有する電子的なコンポーネントを簡単に組み付けることができる。この場合に、電子的なコンポーネントを、ねじにより、溝又はリブ内へ直接に挿入された保持部材に固定するか、又はこれらの保持部材に間接又は直接に取り付けられた条片状の保持エレメントにより固定することができる。
【００１３】
しかしながら、組み付けたい電子的なコンポーネントの固定寸法が、平行に延びる溝の間の間隔と一致しない場合、すなわち、組み付けたい電子的なコンポーネントが孔を有しており、これらの孔の互いの間隔が第１の溝と第２の溝との間隔よりも小さいか、又は第１の溝とさらに別の溝との間隔よりも小さい場合には、このコンポーネントは、少なくとも一方側で山形部付き薄板により固定することができる。この山形部付き薄板では、山形部付き薄板内へ係合する少なくとも１つのねじが、対応した溝内へ挿入された保持部材内へねじ込まれる。
【００１４】
この場合に山形部付き薄板は、組付けプレートに接触するための平面的なベースプレートと、このベースプレートに対して折り曲げられた、組み付けたい電子的なコンポーネントをクランプするように固定するためのクランプ領域とを有している。この場合にこのクランプ領域は、電子的なコンポーネントに設けられた突出部にクランプするように係合する。
【００１５】
組み付けたい電子的なコンポーネントの種々異なった固定寸法への特に簡単な適合を達成するためには、山形部付き薄板が、第２の溝又はさらに別の溝の延在方向に対して垂直方向に延びる、ねじを収容するための長孔を有していることができる。
【００１６】
保持部材は有利な構成ではばね板ナットであってよい。
【００１７】
第１の溝、第２の溝及び／又はさらに別の溝がプレートボディと一体的に形成されている場合には、製造技術的に有利である。
【００１８】
改善された配置及び固定可能性が、少なくとも１つの保持部材が溝インサートの形で形成されており、この溝インサートが、いずれか１つの溝内へ押込み可能な足部区分と、溝から突出した頭部区分とを有しており、この頭部区分が、溝インサートが挿入された状態で組付けプレートの組付け平面から離隔された固定区分を有しており、この固定区分が、この固定区分の下方に配置したい、固定したいコンポーネントの足部の上方に位置決め可能になっており、この場合に固定区分の間隔が、組付け平面に対して垂直方向の前記足部の厚さよりも大きくなっており、固定区分内に少なくとも１つのねじ山付き孔が提供されており、この孔内へ、コンポーネントを固定するために、足部と協働する締付けねじがねじ込み可能になっていることにより生じる。
【００１９】
簡単で確実な組付けのためには、さらに次のような手段、すなわち、少なくとも１つの保持部材が、溝内へ押込み可能な足部区分と、溝から突出した頭部区分とを有する溝ブロックの形で形成されており、頭部区分内に組付け平面に対して垂直方向にねじ山付き孔が配置されており、このねじ山付き孔にコンポーネントのための保持手段がねじ込み可能になっている、手段が役立つ。
【００２０】
可変の固定可能性が、固定装置が少なくとも１つの保持条片を有しており、この保持条片が、溝に対して横方向に配置可能であり、次のように寸法取りされている、すなわち、保持条片が、２つの溝の間の間隔にかけられており、両側の端部区分により、当該溝内へ押し込まれた溝ブロック及び／又は溝インサートでねじ山付き孔により固定可能になっていることにより助長される。
【００２１】
付加的な孔なしに組付け平面の実質的に任意の箇所へ望ましい形で配置することが、少なくとも１つの条片状のブリッジが設けられており、このブリッジがコンポーネントの両側に互いに並行に配置された２つの保持条片の間で摺動可能に、組付け平面に対して間隔をおいて取付け可能になっており、かつ孔を有しており、これらの孔を介してコンポーネントが足部で少なくとも１つの締付けねじにより固定可能になっていることにより、可能になっている。
【００２２】
この場合に簡単な組付けのためには、ブリッジが両方の端部区分に、保持条片の方へ開かれたスリットを有しており、これらのスリットにより、ブリッジが保持条片で摺動可能に保持されているという手段が役立つ。
【００２３】
配置及び固定可能性が、少なくとも１つの保持条片及び／又はブリッジに一列のねじ山付き孔又は固定開口部が設けられていることにより拡大される。
【００２４】
固定装置の安定性が、保持条片及び／又はブリッジが、横断面図で見て山形に形成されているか、又は少なくとも１つの補強リブが設けられていることにより支援される。
【００２５】
次に本発明の実施の形態を図面につきさらに詳しく説明する。
【００２６】
図１は、冷却したい電子的なコンポーネントが組み付けられていない組付けプレート１０を概略的な斜視図で示している。この組付けプレート１０は、例えばアルミニウムから成る平坦なプレートボディ１４を有しており、このプレートボディ１４内には、冷却液を貫流させるための冷却蛇管（図示していない）の形の、接続部１６及び１８を有する冷却導管が形成されている。この冷却蛇管が組込式に敷設されている領域では、プレートボディ１４は付加的に加工されておらず、平坦かつ平面的に形成されている。この領域の、冷却蛇管が組込式に敷設された図１で見て右側には、横断面で見てほぼＣ字形に形成された、組付けプレート１０の延在方向（矢印Ａ）に直線的に延びているアンダカットされた第１の溝２０がプレートボディと一体的に形成されている。この第１の溝２０内へは、少なくとも１つの保持部材、例えばばね板ナット（図示していない）、溝ブロック２５（図４ａ）及び／又は溝インサート２６（図４ｂ）を、電子的なコンポーネント１２又は固定装置の別のエレメントとのねじ結合を形成するために、有利にはねじれないように挿入することができる。この場合に構成したい電子的なコンポーネントを適宜な位置で固定することができる。
【００２７】
第１の溝２０に対して平行に、アンダカットされた第２の溝２２が、冷却媒体蛇管が組込式に敷設されたプレートボディ領域の図１で見て左側に延びている。第１の溝２０と第２の溝との間の間隔は、一方では冷却蛇管が組込式に敷設されたプレートボディ領域により規定され、かつ他方では、組み付けたい電子的なコンポーネントの、第１の溝２０及び第２の溝２２に対して垂直に延びる延在長さにより規定される。
【００２８】
第１の溝２０及び第２の溝２２に対して平行に、アンダカットされた別の溝２４が延びており、この溝２４は、第２の溝の、組み付けたいコンポーネントに向いていない方の側２６に、この第２の溝に対して間隔Ｃをおいて延びている。この間隔Ｃは、第１の溝２０と第２の溝２２との間の間隔Ｂよりも小さく、第２の溝２２の場合よりも広幅な別の固定寸法に適合されている。
【００２９】
縁又はハウジングがねじ込み孔を有しており、これらのねじ込み孔の互いの間隔が、第１の溝２０と第２の溝２２との間隔Ｂ又は第１の溝２０とさらに別の溝２４との間隔に対応している、組み付けたいコンポーネントは、ねじ込みにより、溝２０，２２，２４内へ挿入されたねじナットで直接に固定することができる。
【００３０】
図２は、組み付けたい電子的なコンポーネントの種々異なった固定寸法に適合可能な組付けのための山形部付き薄板３０を概略的な斜視図で示している。
【００３１】
ハウジングがねじ込み孔を有しており、これらのねじ込み孔の互いの間隔が、第１の溝２０と第２の溝２２との間隔Ｂ（図１に示した）よりも小さいか、又は第１の溝２０とさらに別の溝２４との間の間隔よりも小さい、組み付けたい電子的なコンポーネントは、少なくとも一方側で山形部付き薄板３０を介して、これらの溝内へ係合する少なくとも１つのねじ（図示していない）により、対応した溝２２内へ挿入されたねじナット内へ締め付けるように固定することができる。
【００３２】
前記山形部付き薄板３０は、組付けプレート１０に接触するための平面的なベースプレート３４と、このベースプレート３４に対して曲げられた、組み付けたい電子的なコンポーネントをクランプするように固定するための、一体的に形成されたクランプ領域３６とを有している。
【００３３】
山形部付き薄板３０は、第２の溝２２又はさらに別の溝２４の延在方向（矢印Ａ）に対して垂直方向（矢印Ｄ）に延びる、ねじ（図示していない）を収容するための長孔３８及び３９を有している。
【００３４】
図３は、図１による組付けプレート１０と、この組付けプレート１０に組み付けられた、それぞれ図２による山形部付き薄板３０により一方側でクランプするように保持された、冷却したい周波数変換器１２とが概略的な斜視図で示されている。
【００３５】
延在部Ｂが両方の溝２０及び２２の間の間隔に一致していないこれらの周波数変換器は、図３の右側では、それぞれ溝２０内へ挿入されたばね板ナット（図示していない）に係合するねじによりねじ止めされている。図３では、このようなねじには符号２８が付されている。
【００３６】
図３の左側では、周波数変換器１２がそれぞれ付加的な山形部付き薄板（これらの山形部付き薄板のうちの１つに符号３０が付されている）によりクランプされている。例えば、図示の山形部付き薄板３０の長孔３８内へは、ねじ３２が第２の溝２２内へ挿入されたばね板ナット（図示していない）内へ係合する。山形部付き薄板３０は、周波数変換器１２のハウジングに設けられた突出部１３にクランプするように係合する。長孔固定部により、溝間隔に合わない固定寸法が補償される。
【００３７】
図４は、部分図ａ，ｂ，ｃ及びｄに固定装置の種々異なったエレメント、すなわち、溝ブロック２５（部分図ａ）、溝インサート２６（部分図ｂ）、保持条片２７（部分図ｃ）及び条片状のブリッジ２８（部分図ｄ）を示している。これらのエレメントは、アセンブリを形成するために多少は大きい数で提供されていてよく、これにより、組付けプレート１０の組付け平面には、種々異なった寸法のコンポーネントを、かつ／又は種々異なった位置に固定することができる。この場合の組付け原理は図５、図６及び図７から明らかである。組付けプレートの固定孔は不要である。
【００３８】
図４ａから判るように、横断面図で見てＴ字形の溝２０，２２，２４内へ押し込むための溝ブロック２５が、溝横断面に適合されたＴ字形の足部区分２５．１、並びに溝から組付け平面を超えて突出した頭部区分２５．２を有している。この頭部区分２５．２の上面内には、組付け平面の垂直方向にねじ山付き孔２５．３が設けられている。組付け平面に対して平行な側方のねじ山付き孔も可能である。溝ブロック２５は、足部区分２５．１により溝内で摺動可能に支承されている。
【００３９】
溝インサート２６は、図４ｂでは対応して溝ブロック２５のように横断面図で見てＴ字形の、溝横断面に適合した足部区分２６．１、並びに溝から突出した頭部区分２６．２を有している。しかしながら、溝インサート２６は溝ブロック２５よりも溝方向に長く形成されており、付加的に溝方向に対して横方向に突出した、挿入された状態で組付け平面から離隔される固定区分２６．４が設けられている。この溝インサート２６の両方の端部区分並びに固定区分２６．４には、上面から垂直方向にねじ山付き孔２６．３若しくは２６．５が設けられている。
【００４０】
図４ｃ）に示したように、保持条片２７は横断面図で見て山形に形成されており、一方の脚部には一列の孔２７．１を有している。これらの孔２７．１は、少なくとも部分的にねじ山付き孔の形で形成されていてもよい。図４ｄに示したブリッジ２８は、同様に横断面図で見て山形に形成されており、同様に一方の脚部内に複数の孔を有している。これらの孔はねじ山付き孔の形で構成されていてよい。さらに、孔２８．１を有していない方の脚部内には両側に端部に向かって開かれたスリット２８．２が長手方向延在部に対して平行に設けられている。
【００４１】
図５、図６及び図７に示したように、山形条片２７は、両方の長手方向縁部の近傍に延びる両方の溝２０，２２の間の間隔よりも幾らか長く、選択的に対応した位置で溝２０，２２内へ押し込まれた溝ブロック２５又は溝インサート２６を、保持条片２７の当該孔２７．１を介してねじ３３を挿入し、ねじ山付き孔２５．３若しくは２６．３内へねじ込むことにより、固定することができる。この場合に保持条片２７の、孔２７．１を有する側は、有利には上面を形成している。このようにして、保持条片２７は組付けプレート１０若しくは組付け平面の長手方向に摺動することができ、これにより、コンポーネント１２が組付け平面の望ましい長手方向位置に配置される。この場合にコンポーネント１２の足部１２．１は、溝インサート２６の向かい合った固定区分２６．４に、固定区分２６．４内のねじ山付き孔２６．５を介して締付けねじがねじ込まれ、これにより、コンポーネント１２が組付け平面で圧着されることにより、固定されていてよい。これにより、損失熱を導出するための良好なコンタクトが生じる。
【００４２】
２つの保持条片２７の間には、望ましい位置で組付けプレート１０の横方向に少なくとも１つのブリッジ２８を配置することができる。この場合にこのブリッジ２８はスリット２８．２により横方向に保持条片２７に沿って摺動可能になっている。この場合にブリッジ２８の、孔２８．１を設けられた脚部は、コンポーネント１２の当該足部１２．１の寸法よりもさらに組付け平面から組付け平面の垂直方向に離隔されており、これにより、足部１２．１はブリッジ２８の下方で摺動可能になっており、孔２８．１を介して締付けねじのねじ込みにより固定可能である。この場合に締付けねじ３４としては、例えば、ねじ山付きピンを用いることができる。
【００４３】
この場合に、組付けプレート１０にコンポーネント１２を固定するためには種々異なった可能性、すなわち、例えば足部１２．１を少なくとも１つの溝インサート２６を有する側でこの溝インサート２６の固定区分２６．４の下方でクランプし、かつ別の側でブリッジ２８によりクランプ固定するか、又はそれぞれのブリッジ２８によりコンポーネント１２の両方の側で足部１２．１をクランプ固定する可能性がある。複数の保持条片２７及びブリッジ２８及び必要に応じて溝インサート２６により、種々異なった寸法のコンポーネント１２を、又はｘ／ｙ方向の種々異なった位置で、組付けプレートに取り付けることができ、これにより、コンポーネントを適宜な自由な箇所で、例えば、組付けプレート１０を収容するハウジングの内部で、簡単に位置決め可能である。固定時には、保持条片２７及びブリッジ２８の山形の横断面が高められた安定性をもたらす。Ｔ字形の横断面によっても、又は少なくとも１つの補強リブによっても類似の安定作用を得ることができる。
【図面の簡単な説明】
【００４４】
【図１】組み付けられた、冷却したい電子的なコンポーネントなしの組付けプレートの概略的な斜視図である。
【図２】組み付けたい電子的なコンポーネントの種々異なった固定寸法に適合可能な組付けのための山形領域の概略的な斜視図である。
【図３】図２による山形部付き薄板により一方側でクランプされて保持されている、組み付けられた冷却したい周波数変換器を有する、図１による組付けプレートの概略的な斜視図である。
【図４】図４ａ、図４ｂ、図４ｃ及び図４ｄは、固定装置の種々異なったエレメントを示す斜視図である。
【図５】組付けプレート、固定したいコンポーネント及び図４による固定装置のエレメントの組付け配置を示す概略的な平面図である。
【図６】図５による装置を側方から見た斜視図である。
【図７】図６に関して図５による装置を反対側から見た斜視図である。
【図１】
2007525849.tif 000003
【図２】
2007525849.tif 000004
【図３】
2007525849.tif 000005
【図４ａ】
2007525849.tif 000006
【図４ｂ】
2007525849.tif 000007
【図４ｃ】
2007525849.tif 000008
【図５】
2007525849.tif 000009
【図６】
2007525849.tif 000010
【図７】
2007525849.tif 000011
【国際調査報告】
2007525849.tif 000012
2007525849.tif 000013
2007525849.tif 000014
2007525849.tif 000015
2007525849.tif 000016
2007525849.tif 000017